(57)【要約】【課題】  通勤・通学等の移動時等に、日常的な反復訓練によってリズム感を養うことができ、且つ任意のリズムを外部メディアから記憶して再生することができるリズム感を養うための携帯型リズム感養成器に関する。【解決手段】  各種リズム情報をデータとして記憶するリズム情報記憶部１４と、上記リズム情報記憶部１４に記憶された各種リズムパターンを表示する表示部１２と、上記表示部１２に表示された各種リズムパターンを選択するためのキー操作部１５と、上記表示部１２と上記キー操作部１５の動作制御を行うとともに、選択されたリズムパターンのリズムデータを前記リズム情報記憶部１４から読み出して制御する制御部１１と、上記制御部から出力されるリズムデータを再生し、リズムを出力するリズム再生出力部とから構成される。【選択図】図２
2008134429.tif 000002
【特許請求の範囲】
【請求項１】
各種リズム情報をデータとして記憶するリズム情報記憶部と、上記リズム情報記憶部に記憶された各種リズムパターンを表示する表示部と、上記表示部に表示された各種リズムパターンを選択するためのキー操作部と、上記表示部と上記キー操作部の動作制御を行うとともに、選択されたリズムパターンのリズムデータを前記リズム情報記憶部から読み出して制御する制御部と、上記制御部から出力されるリズムデータを再生し、リズムを出力するリズム再生出力部とから構成されることを特徴とする携帯型リズム感養成器。
【請求項２】
上記リズム情報記憶部に外部メディアから任意のリズムデータを記憶することができるようにしたことを特徴とする請求項１に記載のリズム感養成器。
【発明の詳細な説明】
【技術分野】
【０００１】
本発明は、通勤通学等の移動時等に、日常的な反復訓練によってリズム感を養うことができ、且つ任意のリズムを外部メディアから記憶して再生することができるリズム感を養うための携帯型リズム感養成器に関する。
【背景技術】
【０００２】
近年のダンスミュージックの流行や社交ダンスブーム等により、リズム感を養いたいという者は多い。また、所謂音痴な者の歌唱力を向上させるためには、発声方法の改善も然ることながらリズム感を向上させることが肝要である。また、楽器を始めた者にとっては、リズム感を向上させることによって演奏のクオリティーが安定するようになる。
【０００３】
そこで、従来、シート上のスイッチを踏むことよって任意の音を発生させ、体全体を使って曲に合ったテンポのリズム感を養うことができる興趣性の高い楽器玩具が提供されている（例えば、特許文献１）。また、視覚的効果と音響効果とを融合すること、すなわち動画と音声に合わせてパッドを叩くことによって、ゲーム感覚でリズム感を養うことができるマルチメディア制御装置なども提供されている（例えば、特許文献２）。
【特許文献１】特開２００２−２９２１０７号「楽器玩具」
【特許文献２】特開２００６−０７９１１１号「マルチメディア制御装置」
【発明の開示】
【発明が解決しようとする課題】
【０００４】
さて、リズム感のような感覚的な能力は、日常の反復した訓練によって初めて養われるものである。しかしながら、学生或いは社会人等は、学校や仕事で日々忙しく、日常的な反復訓練を以ってリズム感を養うことは困難であった。
【０００５】
すなわち、日々繁忙な学生や社会人等にとっては、例え、上記の特許文献１又は特許文献２のような装置等を使用したとしても、持ち運び困難な当該装置等の使用は週末等の休日に限られることが多く、日常的な反復訓練によってリズム感を養成することは困難であった。
【０００６】
また、昨今の若者に流行しているダンスミュージックには、一定のリズムを奏でないような変則的なリズムも多々ある。しかしながら、上記特許文献１又は特許文献２のような装置では、一定のリズムについては訓練できるものの、各々が必要とする変則的なリズムについては訓練することができなかった。
【０００７】
そこで、本発明は、通勤通学等の移動時等であっても、日常的な反復訓練によってリズム感を養うことができ、且つ任意のリズムデータを外部メディアから記憶して再生することができるリズム感を養うための携帯型リズム感養成器を提供することを課題とする。
【課題を解決するための手段】
【０００８】
上記課題を解決するために、本発明は次のように構成した。すなわち、本発明に係る携帯型リズム感養成器は、各種リズム情報をデータとして記憶するリズム情報記憶部と、リズム情報記憶部に記憶された各種リズムパターンを表示する表示部と、表示部に表示された各種リズムパターンを選択するためのキー操作部と、表示部と上記キー操作部の動作制御を行うとともに、選択されたリズムパターンのリズムデータを前記リズム情報記憶部から読み出して制御する制御部と、制御部から出力されるリズムデータを再生し、リズムを出力するリズム再生出力部とから構成されることを特徴とする。また、リズム情報記憶部に外部メディアから任意のリズムデータを記憶することができるように構成されている。
【発明の効果】
【０００９】
本発明に係る携帯型リズム感養成器よれば、通勤・通学等の移動時等であっても、日常的な反復訓練によってリズム感を養うことができ、且つ任意のリズムデータを外部メディアから記憶して再生することができることにより、一定のリズムのみならず任意の変則的なリズムであってもリズム感養成訓練をすることができる。
【発明を実施するための最良の形態】
【００１０】
以下、図面に基づいて本発明を具体的に説明する。図１は、本発明に係る携帯型リズム感養成器１の回路構成図である。本発明に係る携帯型リズム感養成器１は、制御部１１、表示部１２、表示制御回路１３、リズム情報記憶部１４、キー操作部１５、操作制御回路１６、リズム再生出力部となるアンプ１７及びイヤホン１８から構成され、リズム情報記憶部１２に記憶された各種リズムを再生する機能と、外部メディア１９からリズム情報記憶部１４に任意のリズムを記憶する機能とを有する。
【００１１】
まず、制御部１１は、リズム情報記憶部１４、キー操作部１５が接続される操作制御回路１６、表示部１２の表示制御を行なう表示制御回路１３、リズム音制御を行なうアンプ１７等の各周辺構成部を統括・制御している。
【００１２】
表示部１２は、液晶パネル又は省電力な有機ＥＬディスプレイなどで構成され、表示制御回路１３によって制御される。携帯型リズム感養成器１の起動後に、リズム情報記憶部１４に記憶された各種リズムパターンを表示する。また、図２に示す本体２１の表面に予め各種リズムパターンを円形等に印字或いは羅列しておき、つまみを回転或いは上下させることによって各種リズムを選択する構成にしてもよい。
【００１３】
リズム情報記憶部１４には、例えば、「２ビート」「４ビート」「８ビート」「１６ビート」或いは「３２ビート」等の一般的な一定のリズムを初期状態から記憶させているが、後々にＰＣ等の外部メディア１９から使用者が任意のリズムデータをリズム情報記憶部１４に記憶させることによって、使用者が訓練したい任意のリズムを反復して聞くことができる。任意のリズムデータは、インターネット上にアップロードされているリズムデータをダウンロードしてもよく、或いは音声作成ソフトウェア等を用いて自作してもよい。
【００１４】
これにより、使用者は一般的な一定のリズムのみならず、若者のダンスミュージック等に見られるような変則的なリズムについても訓練することができる。
【００１５】
表示部１２に表示された各種リズムは、キー操作部１５によって選択することができる。キー操作部１５は、操作制御回路１６によって制御される。また、本体２１の表面に予め各種リズムパターンを円形等に印字或いは羅列する上記の構成にした場合には、表示部１２及びキー操作部１５を一元化することができるため、図２に示す本体２１の省スペース・小型化を図ることができる。
【００１６】
キー操作部１５によって選択された各種リズムパターンのリズムデータは、制御部１１によってリズム情報記憶部１４から読み出される。当該読み出されたリズムデータは、アンプ１７を介して増幅・処理され、イヤホン１８から出力される。
【００１７】
イヤホン１８から出力されたリズムは、使用者が演奏を停止するまで繰り返し奏でられる。これにより、本発明に係る携帯型リズム感養成器１の使用者は、休日等のみならず通勤通学時間等であっても、同じリズムを反復して聞く訓練をすることができ、身体にリズムを憶え込ませることができる。イヤホン１８に替えてヘッドホンを使用してもよく、また、自宅等ではスピーカからリズムを聞いてもよい。
【００１８】
図２は、本発明に係る携帯型リズム感養成器１の外観図である。携帯型リズム感養成器１は、本体２１及びイヤホン１８から構成される。また、本体２１は、表示部１２、キー操作部１５及び外部メディア接続部２２から構成される。
【００１９】
本体２１は、小型のポケットサイズに構成されているため、胸ポケット等に入れて持ち運びながら、イヤホンを耳に装着することによって、電車内や歩行中の移動時間等であっても自由にリズムを繰り返し聞くことができる。
【００２０】
キー操作部１５は、上キー１５ａ、下キー１５ｂ及び決定キー１５ｃによって構成される。上キー１５ａ及び下キー１５ｂによって、各種リズム情報から聞きたいリズムを選択し、決定キー１５ｃによって選択を決定する。
【００２１】
また、上記のように、表示部１２を本体２１の表面に予め各種リズムパターンを円形等に印字或いは羅列する構成にした場合には、キー操作部１１及び表示部１３を一元化することができ、携帯型リズム感養成器１をより省スペース・小型化することによって持ち運び易くなる。
【００２２】
表示部１２は、携帯型リズム感養成器１の起動後に、図２に示したように「２ｂｅａｔｓ」「４ｂｅａｔｓ」等と各種リズムパターンを表示する。また、使用者が任意のリズムデータを外部メディアから記憶した場合には、初期状態から記憶されている各種リズムの下部に任意のリズムデータが表示されていく。
【００２３】
外部メディア接続部２２は、ＰＣ等の外部メディア１９と接続するためのスロット部であり、ＵＳＢケーブル等によって接続される。リズム情報は、ＭＰ３やＷＭＡなどのデータで転送され、リズム情報記憶部１４に記憶される。
【００２４】
バッテリー２３は、ＡＣアダプターによる充電式であっても、電池式であってもよい。
【００２５】
上記実施例では、本発明に係るリズム感養成器１を通勤通学時等の移動時等の使用について説明したが、楽器を弾きながら、又はダンスを踊りながらであっても、リズムを確認するために使用してもよい。
【００２６】
また、上記実施例では、音楽やダンスにおけるリズム感の養成のために本発明に係る携帯型リズム感養成器を使用したが、例えば、ゴルフのスウィングやボーリングの投球などの一定のリズムを必要とするスポーツの訓練時に使用してもよい。
【産業上の利用可能性】
【００２７】
上記実施例では、イヤホン１８から再生されるリズム音によって反復訓練できることを説明したが、リズム音再生時は表示部１２に音符等をリズムのテンポに合わせて右から左へ流すような表示をすることにより、視覚的にもリズム感を養成することができる。また、上記の流される音符等の表示に合わせてタイミングよく決定キー１１ｃを押すとポイントが加算されるような構成とすることにより、触覚的にもリズム感を養成することができ、ゲーム機的な構成を図ることも可能となる。
【図面の簡単な説明】
【００２８】
【図１】本発明に係る携帯型リズム感養成器の回路構成図である。
【図２】本発明に係る携帯型リズム感養成器の外観図である。
【符号の説明】
【００２９】
１    携帯型リズム感養成器
１１    制御部
１２    表示部
１３    表示制御回路
１４    リズム情報記憶部
１５    キー操作部
１５ａ  上キー
１５ｂ  下キー
１５ｃ  決定キー
１６    操作制御回路
１７    アンプ
１８    イヤホン
１９    外部メディア
２１    本体
２２    外部メディア接続部
２３    バッテリー
【図１】
2008134429.tif 000003
【図２】
2008134429.tif 000004